(57)【要約】【課題】装置全体のピーク消費電力を抑えることのできる画像形成装置を提供する。【解決手段】画像形成動作を行う装置本体１０１に設けられた装置本体側制御部により画像形成動作を制御し、また給紙装置１０２に設けられた給紙装置側制御部Ｓによりシートを装置本体１０１に給送するシート給送動作を制御する。さらに、給紙装置側制御部により移動手段１０４を制御してシートＳを収納し、かつ給紙装置１０２に引き出し可能に設けられたシート収納部１０３の引き出し及び収納を行う。そして、装置本体側制御部及び給紙装置側制御部の制御を行う制御部は、画像形成動作を行っている場合にはシート収納部収納動作を行わないよう給紙装置側制御部を介して駆動手段を制御する、或いはシート収納部収納動作を行っている際には画像形成動作を行わないよう装置本体側制御部を介して装置本体１０１を制御する。【選択図】      図１
2005010427.tif 000002
【特許請求の範囲】
【請求項１】
シートに画像を形成する装置本体と、前記装置本体にシートを給送する給紙装置とを備えた画像形成装置において、
前記シートを収納し、かつ給紙装置本体に引き出し可能に設けられたシート収納部と、
前記シート収納部の引き出し及び収納を行う移動手段と、
前記給紙装置に設けられ、シート給送動作及び前記移動手段の制御を行う給紙装置側制御部と、
前記装置本体に設けられ、画像形成動作を制御する装置本体側制御部と、
前記装置本体側制御部及び前記給紙装置側制御部の制御を行う制御部と、
を備え、
前記制御部は、前記画像形成動作を行っている場合にはシート収納部収納動作を行わないよう前記給紙装置側制御部を介して前記移動手段を制御し、或いは前記シート収納部収納動作を行っている際には画像形成動作を行わないよう前記装置本体側制御部を介して前記装置本体を制御することを特徴とする画像形成装置。
【請求項２】
前記シート収納部が前記移動手段による収納が可能な位置にあることを検知する検知手段を備え、
前記給紙装置側制御部は、前記検知手段からの検知信号に基づき前記シート収納部を収納するよう前記移動手段を制御し、かつ該シート収納部を収納する際は、前記シート収納部収納動作中であることを前記制御部に報知し、前記制御部は前記報知に基づきシート収納部収納動作が完了するまでは画像形成動作を行わないよう前記装置本体側制御部を介して前記装置本体を制御することを特徴とする請求項１記載の画像形成装置。
【請求項３】
前記給紙装置側制御部は、前記シート収納部収納動作中であることを、前記給紙装置の状態を示すステータス情報のうちの所定ビットのオン／オフにより前記制御部に報知することを特徴とする請求項２記載の画像形成装置。
【請求項４】
前記制御部は、前記画像形成動作を行う場合には前記給紙装置側制御部に画像形成動作を行うこと報知し、該給紙装置側制御部は前記報知に基づいて前記シート収納部収納動作を中止するよう前記移動手段を制御することを特徴とする請求項１記載の画像形成装置。
【請求項５】
前記制御部は、前記画像形成動作を行っている場合には前記給紙装置側制御部に画像形成動作中であることを報知し、該給紙装置側制御部は前記報知に基づいて前記シート収納部収納動作を行わないように前記移動手段を制御することを特徴とする請求項４記載の画像形成装置。
【請求項６】
前記制御部は、前記画像形成動作を行うこと、又は前記画像形成動作中であることを、前記装置本体の状態を示すステータス情報のうちの所定ビットのオン／オフにより前記給紙装置側制御部に報知することを特徴とする請求項４又は５記載の画像形成装置。
【請求項７】
前記給紙装置は前記装置本体に選択的に装着されることを特徴とする請求項１乃至６のいずれか１項に記載の画像形成装置。
【発明の詳細な説明】
【０００１】
【発明の属する技術分野】
本発明は、画像形成装置に関し、特に装置本体及び給紙装置を同時に動作させる際の消費電力制御に関する。
【０００２】
【従来の技術】
従来の画像形成装置において、数多くのシートに対する画像形成が可能となるよう、大容量のシートが収納可能なシート収納部を有する給紙装置を備えたものがある。図９は、このような給紙装置を備えた画像形成装置を示すものであり、同図において、５００は画像形成装置本体、５０１は画像形成装置本体５００の下部に配された給紙装置である。
【０００３】
そして、この給紙装置５０１は、シートＳを積載すると共に、給紙の際には、不図示の昇降手段により給紙可能位置まで昇降するトレイ５０２を備えている。また、このトレイ５０２は、スライド機構５０３により引き出し可能に給紙装置本体５０４Ａに設けられたシート収納部５０４に配されており、シートＳを補給する場合は、まずスライド機構５０３によりシート収納部５０４を引き出してシートＳをトレイ上にセットし、この後、シート収納部５０４を給紙装置本体内に収納するようにしている。
【０００４】
ところで、この給紙装置５０１は、シートＳの給送動作を行う際、まず準備動作として搬送路内のシートＳの有無、シートＳの残量、トレイ５０２の位置、シート収納部５０４のオープン（引出し）／クローズ（収納）の検知等を行うようにしている。
【０００５】
なお、搬送路内のシートＳの有無を検知するのは搬送路にシートＳが滞留しているとジャムとなるからであり、電源をＯＮした時にシートＳの滞留が検知されると、シートＳの給送動作が不可能となる。この場合、ユーザはシートＳを取り除く必要がある。
【０００６】
そして、このように搬送路内のシートＳの滞留が検知された場合にはシートＳを取り除き、またシート無し状態ではない事、故障が発生していない事等が確認されると、給送動作が可能な状態となる。
【０００７】
次に、このようにシートＳの給送動作が可能状態になると、給紙装置５０１は、画像形成装置本体５００から給紙開始信号、あるいはコマンドが送信されるのを待機する。そして、この後、画像形成装置本体５００から給紙開始信号、あるいはコマンドが送信されると、給紙装置５０１はシートＳを画像形成装置本体５００に給送する。
【０００８】
ところで、近年、このような構成の給紙装置５０１をオプションとして装着する画像形成装置が普及している。ここで、このように給紙装置をオプション装着する画像形成装置は、画像形成装置本体の制御部と、オプション装着された給紙装置の制御部との間の制御を行う、通常、画像形成装置本体に設けられるシステムコントローラを備えており、このシステムコントローラにより画像形成装置本体の制御部を介して画像形成動作の制御を行うと共に、給紙装置の制御部を介して給紙動作の制御を行うようにしている。
【０００９】
また、給紙装置５０１をオプション装着する場合、給紙装置５０１の電源としては画像形成装置本体の電源装置を用いる場合と、給紙装置自体に電源装置を設けるようにする場合とがある。しかし、いずれの場合においても、電源装置はウォールコンセントからの商用電源を使用するものであることから、使用できる電力量は安全規格で定められており、一般的に定格電力を超えて負荷がかかる場合にはブレーカーが落ち電力供給が停止してしまう。
【００１０】
ここで、給紙装置は、特にシートを補給した状態のシート収納部を収納する際に消費電力が大きくなるため、選択的に給紙装置を装着する画像形成装置では、安定した画像形成動作を行うためには、画像形成装置本体及び給紙装置において電力を効率良く使用する事が必要不可欠である。つまり、画像形成装置にオプションとして給紙装置を装着する場合には、画像形成装置全体としての電力管理をする事が求められている。
【００１１】
【発明が解決しようとする課題】
ここで、このような電力管理を行うようにした従来の画像形成装置における電力管理の方法としては、例えばオプションとして装着する給紙装置、或は他の装置（以下、給紙装置等という）がそれぞれ消費する電力の情報を有するようにすると共に、システムコントローラは画像形成動作を行う際、給紙装置等と通信制御を行い、給紙装置等の消費電力の情報を収集する。
【００１２】
そして、このように消費電力の情報を収集することにより、画像形成動作を行った場合にウォールコンセントから使用できる範囲内に消費電力が収まるか否かを判断し、消費電力が定格値をオーバーしてしまう場合には画像形成動作を行わないようにするという方法がある。なお、このような方法によれば、画像形成装置よりも後に開発された給紙装置（他社製品を含む）を装着した場合でも、トータルでの消費電力は定格値を上回る事は無くなる。
【００１３】
しかしながら、給紙装置等が保有する消費電力情報は、動作期間におけるものであり、当然のことながら非動作期間の消費電力とは大きく異なる。このため、画像形成装置はタイミングによっては使用可能であっても、消費電力情報のみでは全く使用できない状態となってしまう。
【００１４】
なお、この対策としてシステムコントローラが給紙装置等に対して起動コマンドを送信し、その送信タイミングから給紙装置等の消費電力のピークを予想することにより、画像形成時における装置本体の消費電力がピークとなるタイミングと、給紙装置等の消費電力がピークとなるタイミングが重ならない様に制御を行うというものがある。
【００１５】
しかしながらこのような方法でも、単に給紙装置等の消費電力のピークを予想するだけでは正確なタイミング制御を行うことはできず、装置全体のピーク消費電力を抑えることはできない。
【００１６】
そこで、本発明はこのような現状に鑑みてなされたものであり、装置全体のピーク消費電力を抑えることのできる画像形成装置を提供することを目的とするものである。
【００１７】
【課題を解決するための手段】
本発明は、シートに画像を形成する装置本体と、前記装置本体にシートを給送する給紙装置とを備えた画像形成装置において、前記シートを収納し、かつ給紙装置本体に引き出し可能に設けられたシート収納部と、前記シート収納部の引き出し及び収納を行う移動手段と、前記給紙装置に設けられ、シート給送動作及び前記移動手段の制御を行う給紙装置側制御部と、前記装置本体に設けられ、画像形成動作を制御する装置本体側制御部と、前記装置本体側制御部及び前記給紙装置側制御部の制御を行う制御部と、を備え、前記制御部は、前記画像形成動作を行っている場合にはシート収納部収納動作を行わないよう前記給紙装置側制御部を介して前記移動手段を制御し、或いは前記シート収納部収納動作を行っている際には画像形成動作を行わないよう前記装置本体側制御部を介して前記装置本体を制御することを特徴とするものである。
【００１８】
また本発明は、前記シート収納部が前記移動手段による収納が可能な位置にあることを検知する検知手段を備え、前記給紙装置側制御部は、前記検知手段からの検知信号に基づき前記シート収納部を収納するよう前記移動手段を制御し、かつ該シート収納部を収納する際は、前記シート収納部収納動作中であることを前記制御部に報知し、前記制御部は前記報知に基づきシート収納部収納動作が完了するまでは画像形成動作を行わないよう前記装置本体側制御部を介して前記装置本体を制御することを特徴とするものである。
【００１９】
また本発明は、前記給紙装置側制御部は、前記シート収納部収納動作中であることを、前記給紙装置の状態を示すステータス情報のうちの所定ビットのオン／オフにより前記制御部に報知することを特徴とするものである。
【００２０】
また本発明は、前記制御部は、前記画像形成動作を行う場合には前記給紙装置側制御部に画像形成動作を行うこと報知し、該給紙装置側制御部は前記報知に基づいて前記シート収納部収納動作を中止するよう前記移動手段を制御することを特徴とするものである。
【００２１】
また本発明は、前記制御部は、前記画像形成動作を行っている場合には前記給紙装置側制御部に画像形成動作中であることを報知し、該給紙装置側制御部は前記報知に基づいて前記シート収納部収納動作を行わないように前記移動手段を制御することを特徴とするものである。
【００２２】
また本発明は、前記制御部は、前記画像形成動作を行うこと、又は前記画像形成動作中であることを、前記装置本体の状態を示すステータス情報のうちの所定ビットのオン／オフにより前記給紙装置側制御部に報知することを特徴とするものである。
【００２３】
また本発明は、前記給紙装置は前記装置本体に選択的に装着されることを特徴とするものである。
【００２４】
【発明の実施の形態】
以下、本発明の実施の形態について、図面を用いて詳細に説明する。
【００２５】
図１は本発明の第１の実施の形態に係る画像形成装置の概略構成を説明する図であり、同図において、１００は画像形成装置、１０１は画像形成装置本体（以下、装置本体という）、１０２は装置本体１０１にオプション装着された給紙装置である。
【００２６】
そして、この給紙装置１０２は、シートＳを積載すると共に、給紙の際には、不図示の昇降手段により給紙可能位置まで昇降するトレイ１０５を備え、かつ給紙装置本体１０２Ａに引き出し可能に設けられたシート収納部１０３と、シート収納部１０３を給紙装置本体１０２Ａから出し入れ（引き出し及び収納）するための移動手段であるスライド機構１０４とを備えている。
【００２７】
図２は、このような給紙装置１０２に設けられたセンサを説明する図であり、同図において、２０１〜２０３はそれぞれ光学式のセンサにより構成された第１〜第３センサであり、これら第１〜第３センサ２０１〜２０３によりシート収納部１０３の位置を検知するようにしている。
【００２８】
なお、本実施の形態において、シート収納部１０３は、シートＳの補給や整備等の際に、不図示のＳＷ（スイッチ）が操作されるとスライド機構１０４により引き出されるようになっている。また、シートＳの補給等が終了した後は、少し押し込むようにすると、スライド機構１０４により給紙装置本体内に引き込まれて収納されるようになっている。
【００２９】
ここで、第１センサ２０１は、押し込まれたシート収納部１０３を検知するためのものであり、この第１センサ２０１からの検知信号は、後述する図３に示す給紙装置コントローラに入力されるようになっている。
【００３０】
そして、このようにシート収納部１０３がシート収納部引込み動作開始位置にあること、即ちスライド機構１０４による収納が可能な位置にあることを検知する検知手段である第１センサ２０１から検知信号が入力されると、給紙装置コントローラはシート収納部引込み動作を開始する。
【００３１】
また、第２センサ２０２は引込み動作が開始された後、シート収納部１０３が引込み動作を停止させる位置に到達したことを検知するためのものであり、第３センサ２０３は、この後、シート収納部１０３が確実にクローズ位置となったことを検知するためのものである。なお、２０４はセンサフラグであり、シート収納部１０３がクローズされたとき、即ちシート収納部１０３が給紙装置本体１０２Ａに収納された際に第３センサ（トレイクローズ検知センサ）２０３をＯＮさせるものである。
【００３２】
図３は、画像形成装置１００の各制御部と、その接続状況を説明する図であり、同図において、３０１は制御部である画像形成システムコントローラ、３１１は装置本体側制御部である画像形成装置コントローラ、３２１は給紙装置側制御部である給紙装置コントローラである。
【００３３】
ここで、画像形成システムコントローラ３０１は、ホストコンピュータ３５０からデータを受信し、このデータを画像形成装置用のデータに変換する、或は装置本体１０１の画像形成動作及び給紙装置１０２の給紙動作等を制御するためのものであり、画像形成装置コントローラ３１１及び給紙装置コントローラ３２１に接続されている。
【００３４】
なお、本実施の形態においては、画像形成システムコントローラ３０１のＣＰＵ３０２を、通信制御用（Ｉ／Ｆ）ＩＣ３０３，３０４、通信制御バス３３１，３３２及び通信制御用（Ｉ／Ｆ）ＩＣ３１３，３２３を介して画像形成装置コントローラ３１１のＣＰＵ３１２及び給紙装置コントローラ３２１のＣＰＵ３２２に接続することにより装置本体１０１及び給紙装置１０２に対する制御を行っている。
【００３５】
一方、画像形成装置コントローラ３１１は、ＣＰＵ３１２により装置本体１０１の画像形成動作制御を行うのと同時に通信制御用（Ｉ／Ｆ）ＩＣ３１３、通信制御バス３３１を介してシステムコントローラ３０１（のＣＰＵ３０２）と通信を行うようになっている。
【００３６】
また、給紙装置コントローラ３２１は、ＣＰＵ３２２が給紙動作制御を行うのと同時に通信制御用（Ｉ／Ｆ）ＩＣ３２３、通信制御バス３３２を介してシステムコントローラ３０１（のＣＰＵ３０２）と通信を行うようになっている。
【００３７】
図４は、このような給紙装置１０２の給紙装置コントローラ３２１の制御ブロック図である。同図において、４０１はセンサ入力回路であり、このセンサ入力回路４０１により、既述したシート収納部引込み動作開始位置を検知する第１センサ２０１、シート収納部引込み動作停止位置を検知する第２センサ２０２、シート収納部１０３のクローズ位置を検知する第３センサ２０３及びシート有無検知センサ２０４からの信号のレベルをＣＰＵ３２２へ入力可能なレベルに変換する。
【００３８】
４０２〜４０４はモータ駆動回路であり、これら各モータ駆動回路４０２〜４０４により、トレイ１０５（図１参照）を給紙位置にリフトアップさせる、スライド機構１０４、或は給紙装置１０２の不図示の給紙ローラ等に駆動力を与えるためのステッピングモータ（あるいはＤＣモータ）Ｍ１、Ｍ２、Ｍ３を駆動する。４０５はＳＷ入力回路であり、このＳＷ入力回路４０５によりＳＷからの操作信号のレベルをＣＰＵ３２２へ入力可能なレベルに変換する。
【００３９】
図５は画像形成システムコントローラ３０１と給紙装置コントローラ３２１の通信制御信号を示す図である。同図において、（ａ）は通信のトリガ信号である／ＳＴＲＯＢＥ信号であり、画像形成システムコントローラ３０１が制御を行っている。なお、本実施の形態においては、／ＳＴＲＯＢＥ信号がＯＮすると、次に画像形成システムコントローラ３０１はＣＬＫラインに、（ｂ）に示すＣＬＫ信号を出力するようになっている。
【００４０】
そして、／ＳＴＲＯＢＥ信号がＯＮして所定時間経過すると、ＣＬＫラインの立ち上がりに同期して画像形成システムコントローラ３０１は（ｃ）に示す８ビットのＤＡＴＡＤ０〜Ｄ７を１フレームとして出力し、給紙装置１０２は、このＤＡＴＡＤ０〜Ｄ７をＣＬＫの立ち下がりに同期して読込むようにしている。
【００４１】
一方、給紙装置１０２からは、画像形成システムコントローラ３０１から送信する２回目の／ＳＴＲＯＢＥ信号に対してＣＬＫの立ち上がりに同期し、例えば（ｃ）に示すデータと同じ８ビットのＤＡＴＡが出力され、画像形成システムコントローラ３０１は、この８ビットのＤＡＴＡをＣＬＫ信号の立ち下がりに同期してデータの読み込みを行うようにしている。
【００４２】
次に、本実施の形態における画像形成装置１００の制御について図６に示すフローチャートを用いて説明する。
【００４３】
まず、装置本体１０１の電源（ＰＯＷＥＲ）をＯＮすると、給紙装置コントローラ３２１はＣＰＵ３２２が処理を開始し、ＣＰＵ内部に搭載のＲＯＭに記録されているプログラムを動作させる。そして、このようにプログラムが動作を開始すると、まずＳ６０２においてシート収納部１０３のオープン検知処理を行う。ここで、第１、第２及び第３センサ２０１〜２０３の全てがＯＦＦの場合にはシート収納部１０３がオープン状態と判断する。
【００４４】
なお、既述したようにシート収納部１０３はシートＳの補給を行う等の場合に、オープンされ（引き出され）、シートＳの補給等が終了すると、シート収納部１０３はユーザにより給紙装置本体側に少し押し込まれ、これを第１センサ２０１が検知するようになっている。
【００４５】
したがって、このようにＳ６０２において、シート収納部１０３がオープン状態であることを検知すると（Ｓ６０２のＹ）、次に第１センサ２０１からの信号に基づきシート収納部１０３が引込み動作位置に有るか否かを判断する。そして、この後、シート収納部１０３が押し込まれて引込み動作位置に到達し（Ｓ６０３のＹ）、第１センサ２０１がＯＮすると、ＣＰＵ３２２は引込み用モータ（例えば図４に示すＭ１）を駆動させてスライド機構１０４を駆動し、シート収納部１０３の引込み動作を開始する。これにより、シート収納部１０３は図１に示した矢印の方向に移動を開始する。
【００４６】
なお、このように引込み動作を開始した際、Ｓ６０５において給紙装置１０２の状態を示すステータス情報の設定処理を行う。即ち、シート収納部引込み動作を設定する、例えば図５の（ｃ）に示すようなステータスデータのうちの所定のビットをオン／オフすることにより、シート収納部１０３の引込み動作中である旨を反映する。次に、このようなステータスデータの設定が終了すると、Ｓ６０６において画像形成システムコントローラ３０１にステータス情報を送信し、給紙装置１０２がシート収納部収納動作中であることを報知する。
【００４７】
ここで、このステータスデータは画像形成システムコントローラ３０１からのコマンドに応じて返信する場合と、給紙装置１０２が画像形成システムコントローラ３０１に直接的に送信する場合がある。なお、既述した図５に示すように画像形成システムコントローラ３０１がコマンド（／ＳＴＲＯＢＥ信号）を発行し、給紙装置１０２がステータス情報を返信する場合には、通信のオーバーヘッドをなるべく少なくするためにコマンド送信周期を短くする事が望まれる。
【００４８】
次に、このように画像形成システムコントローラ３０１に対しシート収納部収納動作中であることを報知した後、ＣＰＵ３２２は、シート収納部１０３の引込み動作を行い、Ｓ６０７において第２センサ２０２からの信号に基づいてシート収納部１０３が引込み停止位置に到達したかを判断する。
【００４９】
そして、第２センサ２０２がＯＮし、シート収納部１０３が引込みを停止する位置に到達した事を検知すると（Ｓ６０７のＹ）、またほぼ同時に第３センサ２０３がセンサフラグ２０４の到達を検知すると、シート収納部１０３のクローズを検知する。
【００５０】
次に、このようにシート収納部１０３の引込み停止位置到達及びシート収納部１０３のクローズを検知すると、Ｓ６０８において、引込み動作の駆動源であるモータを停止させる引込み動作停止処理を行う。この後、Ｓ６０９において、引込み動作が完了した旨をステータスに反映させる。即ち、Ｓ６０５で設定したシート収納部引込み動作中であることを示すステータスデータのうちの所定のビットのオン／オフを解除する。
【００５１】
一方、図７は、給紙装置１０２の給紙装置コントローラ３２１（のＣＰＵ３２２）が図６に示すフローチャートに従って制御を行う際、これと同時に画像形成システムコントローラ３０１が行う制御を示すフローチャートである。
【００５２】
装置本体１０１の電源をＯＮすると、画像形成システムコントローラ３０１はイニシャライズ処理を行い、既述した搬送路内のシートＳの有無、シートＳの残量の検知等の給紙装置１０２の確認処理等を行う。その後ローカル、或いはネットワーク接続されたホストコンピュータからのデータ待ち状態となる。
【００５３】
この後、Ｓ７０１において、ホストコンピュータからプリントデータを受信すると、次にＳ７０２において、装置本体１０１の状態を読込む処理を行う。そして、装置本体１０１が、プリント動作が可能な状態（プリントＲｅａｄｙ）である事を確認すると（Ｓ７０２のＹ）、Ｓ７０３において給紙装置１０２がシート収納部引込み動作中であるかを判断する。
【００５４】
即ち、システムコントローラ３０１は、所定のタイミングで給紙装置１０２（の給紙装置コントローラ３２１）から出力されるステータスデータ（図５の（ｃ）参照）を自身の記憶領域に、順次更新処理を行いながら記憶し、Ｓ７０３においてステータスデータの内容を確認する。
【００５５】
そして、このようなステータスデータの確認により、給紙装置１０２のシート収納部引込み動作が終了した事を確認すると（Ｓ７０３のＮ）、Ｓ７０４において装置本体１０１に対してプリント動作の開始を指示する画像形成信号をＯＮする。さらに、Ｓ７０５において、給紙装置１０２に装置本体１０１が画像形成動作中である事を報知するためのコマンドを送信する。
【００５６】
次に、Ｓ７０６において装置本体１０１の画像形成動作終了を待ち、画像形成動作が完了すると（Ｓ７０６のＹ）、Ｓ７０７において装置本体１０１が画像形成動作を終了した事を給紙装置１０２に送信し、シーケンスを完了する。
【００５７】
なお、ステータスデータを確認した際、給紙装置１０２がシート収納部引込み動作中であることを確認すると（Ｓ７０３のＹ）、装置本体１０１に対する画像形成動作信号をＯＮ、即ちプリント動作開始指示を行わないようにしている。つまり、給紙装置１０２によるシート収納部１０３の引込み動作が終了するまでは、装置本体１０１において画像形成動作を行わないようにしている。
【００５８】
そして、このように給紙装置１０２によるシート収納部１０３の引込み動作が終了するまでは、画像形成動作を行わないようにすることにより、画像形成動作と、消費電力が大きい給紙装置１０２のシート収納部引込み動作が同時に行われることは無くなり、この結果、画像形成装置全体でのピーク消費電力を抑えることができる。
【００５９】
また、消費電力が大きくなるトレイ引き込み動作を行うタイミングでステータスデータにその旨を反映させ、画像形成システムコントローラ３０１に報知する事により、画像形成システムコントローラ３０１は給紙装置１０２の消費電力が増大するタイミングを即時知る事が可能となり、より確実に画像形成装置全体における消費電力管理が可能となる。
【００６０】
ところで、これまでの説明においては、給紙装置１０２がシート収納部引込み動作を行っている間は、画像形成動作を行わないようにするようにした場合について述べてきたが、本発明はこれに限らず、画像形成動作を行っている間は、給紙装置１０２によるシート収納部引込み動作を行わないようにしても画像形成装置全体でのピーク消費電力を抑えることができる。
【００６１】
次に、このように画像形成動作を行っている間は、給紙装置１０２によるシート収納部引込み動作を行わないようにした本発明の第２の実施の形態について説明する。
【００６２】
図８は、本実施の形態に係る画像形成装置に設けられた給紙装置のシート収納部１０３の引込み動作を示すフローチャートである。なお、本実施の形態においても、画像形成システムコントローラ３０１は図７に示すフローチャートに従って動作する。また、シート収納部１０３の引込み動作については既述した第１の実施の形態と同様の動作、処理が行われるものとする。
【００６３】
まず、Ｓ８０１において給紙装置１０２のコントローラ３２１は画像形成システムコントローラ３０１から、装置本体１０１が画像形成中である旨のコマンドを受信すると、Ｓ８０２において給紙装置１０２が現在シート収納部１０３の引込み動作中であるか否かを判断する。
【００６４】
ここで、引込み動作を行っている場合は（Ｓ８０２のＹ）、動作の緊急停止処理を行う。その後Ｓ８０４に遷移して引込み動作の禁止状態を設定する。また、Ｓ８０２で引込み動作中でなかった場合にも（Ｓ８０２のＮ）、引込み動作禁止状態とする。
【００６５】
なお、このように引込み動作禁止状態とした場合、シート収納部１０３が引込み開始位置に移動してもスライド機構１０４の駆動制御を行わないようにする。ただし、手動でシート収納部１０３を押し込むことは、電力を消費することはないので可能としている。
【００６６】
そして、このように引込み動作禁止状態とした後、Ｓ８０５において画像形成システムコントローラ３０１からの画像形成終了コマンドを受信するのを待ち、画像形成システムコントローラ３０１から画像形成終了コマンドを受信すると（Ｓ８０５のＹ）、シート収納部１０３の引込動作が可能となり、停止していた引込み動作が再開される。または、引込み動作の設定が可能となる。
【００６７】
このように、本実施の形態によれば、装置本体１０１が画像形成動作を行う場合は、給紙装置１０２に対し、ステータスデータのうちの所定のビットをオン／オフすることにより画像形成動作を行う旨を報知し、給紙装置１０２がシート収納部１０３の引込み動作を行っている場合はそれを停止させる制御を行うことにより、画像形成装置全体でのピーク消費電力を抑えることができる。
【００６８】
また、装置本体１０１が画像形成動作中であれば、給紙装置１０２に対し画像形成動作中である旨を報知し、画像形成動作が終了するまでは引込み動作を禁止する制御を行うことにより、画像形成装置全体でのピーク消費電力を抑えることができる。
【００６９】
【発明の効果】
以上説明したように本発明のように、画像形成動作を行っている場合にはシート収納部収納動作を行わないよう制御する、或いはシート収納部収納動作を行っている際には画像形成動作を行わないよう制御することにより、装置全体のピーク消費電力を抑えることができる。
【図面の簡単な説明】
【図１】本発明の第１の実施の形態に係る画像形成装置の概略構成を説明する図。
【図２】上記画像形成装置に設けられた給紙装置のセンサを説明する図。
【図３】上記画像形成装置における制御部接続図。
【図４】上記給紙装置の給紙装置コントローラの制御ブロック図。
【図５】上記画像形成装置の画像形成システムコントローラと給紙装置コントローラの通信制御信号を示す図。
【図６】上記画像形成装置の制御を説明するフローチャート。
【図７】上記画像形成システムコントローラの制御を説明するフローチャート。
【図８】本発明の第２の実施の形態に係る画像形成装置に設けられた給紙装置のシート収納部の引込み動作を示すフローチャート。
【図９】
従来の画像形成装置の概略構成を説明する図。
【符号の説明】
１００        画像形成装置
１０１        装置本体
１０２        給紙装置
１０２Ａ      給紙装置本体
１０３        シート収納部
１０４        スライド機構
２０１        第１センサ
３０１        画像形成システムコントローラ
３０２        ＣＰＵ
３１１        画像形成装置コントローラ
３１２        ＣＰＵ
３２１        給紙装置コントローラである。
３２２        ＣＰＵ
Ｓ            シート
【図１】
2005010427.tif 000003
【図２】
2005010427.tif 000004
【図３】
2005010427.tif 000005
【図４】
2005010427.tif 000006
【図５】
2005010427.tif 000007
【図６】
2005010427.tif 000008
【図７】
2005010427.tif 000009
【図８】
2005010427.tif 000010
【図９】
2005010427.tif 000011